(57)【要約】【課題】より一層の小型化を図ることができる撮影モジュール、およびその撮影モジュールの組立方法が実現する。【解決手段】素子ホルダ内に装入され素子ホルダ１１と素子ホルダ１１の保持開口１１１から入り込んだレンズホルダ１０とに挟まれて圧縮される位置にバネ部材１２を設ける。このコイルバネ１２は、外側から図２（ｂ）の右側に向かって強い付勢力で付勢されるとさらに圧縮してレンズホルダを図２（ｂ）の右側に直進移動させ、付勢力が弱められると伸張してレンズホルダ１０を図２（ｂ）の左側に直進移動させる。フォーカス調整をした後、そのコイルバネを圧縮させた状態のままレンズホルダ１０を素子ホルダ１１に接着固定する。【選択図】        図２
2010239526.tif 000002
【特許請求の範囲】
【請求項１】
対物側開口および結像側開口を有し撮影レンズを保持したレンズホルダと、
前面に前記レンズホルダの少なくとも結像側の部分が入り込んで保持される保持開口を有するとともに背面に撮像素子によって塞がれる素子配置開口を有し該素子配置開口を塞ぐように撮像素子が固定された素子ホルダと、
前記素子ホルダ内に装入され該素子ホルダと前記保持開口から入り込んだ前記レンズホルダとに挟まれて圧縮されるバネ部材とを備え、
前記バネ部材は、前記素子ホルダに装入され該素子ホルダと前記レンズホルダとに挟まれて圧縮した状態にあり、
前記レンズホルダは、前記保持開口に入り込み前記バネ部材を圧縮させた状態で前記素子ホルダに固定されていることを特徴とする撮影モジュール。
【請求項２】
前記バネ部材が、前記撮影レンズによる撮影光束を避けた位置に配置されたコイルバネであることを特徴とする請求項１記載の撮影モジュール。
【請求項３】
前記バネ部材が、前記撮影レンズによる撮影光束を避けた位置に配置された板バネであることを特徴とする請求項１記載の撮影モジュール。
【請求項４】
前記レンズホルダは前記素子ホルダに接着固定されていることを特徴とする請求項１から３のうちのいずれか１項記載の撮影モジュール。
【請求項５】
請求項１から４のうちのいずれか１項記載の撮影モジュール組立前の前記レンズホルダ、前記素子ホルダおよび前記バネ部材を組み立てる組立方法であって、
前記素子ホルダ内に前記バネ部材を装入し、さらに前記レンズホルダを前記保持開口から入り込ませる組立ステップと、
前記レンズホルダの光軸方向の位置を調整することにより、前記撮影レンズの、前記撮像素子に対する光軸方向の位置を調整する調整ステップと、
前記調整ステップにより位置が調整された状態の前記レンズホルダを前記素子ホルダに固定する固定ステップとを有することを特徴とする組立方法。
【請求項６】
前記固定ステップが、前記レンズホルダを前記素子ホルダに接着固定するステップであることを特徴とする請求項５記載の組立方法。
【発明の詳細な説明】
【技術分野】
【０００１】
本発明は、撮影レンズで被写体を撮像素子に結像させその撮像素子に被写体を表わす画像データを生成させる撮影モジュールおよび組立方法に関する。
【背景技術】
【０００２】
最近の携帯電話機には大抵撮影モジュールが内蔵されている（例えば特許文献１参照）。このような撮影モジュールにおいては、携帯電話機に搭載可能とするために出来うる限りの小型化を図る必要がある。
【０００３】
上記の特許文献１には、レンズホルダと素子ホルダという２つの部品を主な構成要素とすることで小型化を実現した撮影モジュールが紹介されている。この特許文献１では、レンズホルダと素子ホルダとの間にネジを形成してフォーカス調整時にレンズホルダを素子ホルダに対して前後させレンズホルダ内の撮影レンズの結像位置に撮像素子を位置させた後に接着剤でレンズホルダと素子ホルダとを接着固定する構成にして撮影モジュールの小型化を実現している。
【０００４】
しかし、上記特許文献１のようにフォーカス調整用のレンズホルダと素子ホルダとの双方にネジを設けると、どうしてもレンズホルダと素子ホルダとの双方の径が大きくなる。
【先行技術文献】
【特許文献】
【０００５】
【特許文献１】特開２００６−８０９６１号公報
【発明の概要】
【発明が解決しようとする課題】
【０００６】
本発明は、上記事情に鑑み、より一層の小型化を図ることができる撮影モジュール、およびその撮影モジュールの組立方法を提供することを目的とする。
【課題を解決するための手段】
【０００７】
上記目的を達成する本発明の撮影モジュールは、
対物側開口および結像側開口を有し撮影レンズを保持したレンズホルダと、
前面に前記レンズホルダの少なくとも結像側の部分が入り込んで保持される保持開口を有するとともに背面に撮像素子によって塞がれる素子配置開口を有しその素子配置開口を塞ぐように撮像素子が固定された素子ホルダと、
上記素子ホルダ内に装入されその素子ホルダと上記保持開口から入り込んだ上記レンズホルダとに挟まれて圧縮されるバネ部材とを備え、
上記バネ部材は、上記素子ホルダに装入されその素子ホルダと上記レンズホルダとに挟まれて圧縮した状態にあり、
上記レンズホルダは、上記保持開口に入り込み上記バネ部材を圧縮させた状態で上記素子ホルダに固定されていることを特徴とする。
【０００８】
上記本発明の撮影モジュールによれば、従来のフォーカス調整用のネジを廃止することでより一層の小型化が図られている。
【０００９】
この撮影モジュールでは従来のフォーカス調整用のネジを廃止したことに伴って、上記バネ部材を上記素子ホルダと上記レンズホルダとに挟まれた位置に設けて外部からレンズホルダを通してそのバネ部材に外力を加えながらバネ部材を圧縮させるか、あるいは圧縮された方向とは逆に伸張させるかによってレンズホルダを光軸に沿って動かす構成にしてフォーカス調整を可能ならしめている。
【００１０】
つまり、ネジを形成することなくバネ部材を追加するという簡単な構成でフォーカス調整用の機構を実現することで撮影モジュールのより一層小型化を実現させている。
【００１１】
ここで、上記バネ部材が、上記撮影レンズによる撮影光束を避けた位置に配置されたコイルバネであっても良く、また、上記バネ部材が、上記撮影レンズによる撮影光束を避けた位置に配置された板バネであっても良い。
【００１２】
いずれにしても、圧縮率又は伸張率がフォーカス調整に必要な長さに見合う率を持つバネを、撮影光束を避ける位置に配置することで撮影機能が妨げられない。
【００１３】
また、上記レンズホルダは上記素子ホルダに接着固定されていることが好ましい。
【００１４】
そうすると、レンズホルダが素子ホルダに接着剤で固定されることでレンズホルダが強固に素子ホルダに固定される。
【００１５】
また、上記目的を達成する本発明の組立方法は、
上記の撮影モジュール組立前の上記レンズホルダ、上記素子ホルダおよび上記バネ部材を組み立てる組立方法であって、
上記素子ホルダ内に上記バネ部材を装入し、さらに上記レンズホルダを上記保持開口から入り込ませる組立ステップと、
上記レンズホルダの光軸方向の位置を調整することにより、上記撮影レンズの、上記撮像素子に対する光軸方向の位置を調整する調整ステップと、
上記調整ステップにより位置が調整された状態の上記レンズホルダを上記素子ホルダに固定する固定ステップとを有することを特徴とする。
【００１６】
上記組立方法によれば、従来のフォーカス調整用のネジを廃止して、素子ホルダとレンズホルダとに挟まれる位置にバネ部材を追加するという簡単な構成のフォーカス調整機構を持ついままでよりも小型の撮影モジュールを簡単に組み立てることができる。
【００１７】
ここで、上記固定ステップが、上記レンズホルダを上記素子ホルダに接着固定するステップであることが好ましい。
【００１８】
接着剤を活用すると、余計な固定機構を設けなくても良くなり、より一層の小型化が図られるし、組立作業も楽になる。
【発明の効果】
【００１９】
本発明によれば、より一層の小型化を図ることができる撮影モジュール、およびその撮影モジュールの組立方法が実現する。
【図面の簡単な説明】
【００２０】
【図１】第１実施形態である撮影モジュールを示す図である。
【図２】図１の撮影モジュールの斜視図と断面図である。
【図３】図１の撮影モジュールの組立方法を説明する図である。
【図４】第２実施形態を示す図である。
【図５】図４の撮影モジュールの断面図である。
【発明を実施するための形態】
【００２１】
以下、図面を参照して本発明の実施の形態を説明する。
【００２２】
図１、図２は、本発明の第１実施形態となる撮影モジュール１の構成を示す図である。
【００２３】
図１には、撮影モジュール１を分解し分解した各構成要素を斜め上方から見た斜視図が示されており、図２には、図１の撮影モジュール１の斜視図（ａ）とその斜視図の中央を縦に切断し切断した面を側方から見た側面図（ｂ）が示されている。
【００２４】
図１、図２を参照して本実施形態の撮影モジュール１の構成を説明する。
【００２５】
図１に示す撮影モジュール１には、レンズホルダ１０と、素子ホルダ１１と、コイルバネ１２と、撮像素子１３０が固定された基板１３とが備えられている。
【００２６】
図１に示す素子ホルダ１１は、図２（ｂ）に示す様に、前面にレンズホルダ１０の少なくとも結像側の部分が入り込んで保持される保持開口１１１を有するとともに背面に撮像素子１３０によって塞がれる素子配置開口１１２を有する。図２（ａ）、図２（ｂ）に示す様にこの素子ホルダ１１の素子配置開口１１２を塞ぐように、撮像素子１３０が固定された基板１３が固定され、他方の保持開口１１１にはレンズホルダ１０が装入される。このレンズホルダ１０は、レンズホルダ１０の対物側開口１０Ａおよび結像側開口１００Ａを有し撮影レンズ１００を保持するものである。本実施形態では、レンズホルダ１０に第１レンズ１０１、第２レンズ１０２、第３レンズ１０３、第４レンズ１０４の４枚のレンズが保持された例が掲げられている。
【００２７】
この図２（ｂ）に示す撮影レンズ１００は、特許文献１と同様に、被写体から取り込む光量を増やして像全体を明るくしたり、レンズが捉える被写体の周縁部の分解能を向上させたりすることを目的として、いままでよりもレンズ径が大きく構成されている。
【００２８】
従来においては、フォーカス調整用のネジをレンズホルダと素子ホルダとに設けなければならなかったためにレンズホルダ及び素子ホルダが大型化するという問題があったが、本実施形態では、ネジを廃止して代わりに図１に示す様にフォーカス調整用にコイルバネ１２を設けている。このコイルバネ１２は、素子ホルダ１１内に装入され、素子ホルダ１１とその素子ホルダ１１の保持開口１１１から入り込んだレンズホルダ１０とに挟まれて圧縮される。またコイルバネ１２は環状であり、撮影レンズ１００による撮影光束を避けた位置に設けられている。
【００２９】
このコイルバネ１２は、外側から図２（ｂ）の右側に向かって強い付勢力で付勢されるとさらに圧縮してレンズホルダを図２（ｂ）の右側に直進移動させ、付勢力が弱められると伸張してレンズホルダ１０を図２（ｂ）の左側に直進移動させる。
【００３０】
本実施形態ではフォーカス調整用の治具を用い、レンズホルダ１０を通してこのコイルバネ１２を付勢する力を巧みに調整することができる構成にして、レンズホルダ１０を光軸に沿って移動させることによるフォーカス調整を実現させている。
【００３１】
そして、治具による付勢力が所定の値になるところでレンズホルダ１０内の撮影レンズ１００の結像位置に撮像素子１３０が位置した場合には、その所定の値の付勢力が維持された状態で、レンズホルダ１０が、素子ホルダ１１の保持開口１１１に入り込んでバネ部材１２を圧縮させた状態のまま、レンズホルダ１０と素子ホルダ１１の境界部分Ｂに接着剤が塗布される。この接着剤によって、レンズホルダ１０が素子ホルダ１１に接着固定される。
【００３２】
以上説明した図２（ａ）の撮影モジュール１の組立方法を、図３の組立フローを使って説明する。
【００３３】
まずステップＳ１で、素子ホルダ１１内にバネ部材１２を装入し、さらにレンズホルダ１０を保持開口１１１から入り込ませる。次のステップＳ２でレンズホルダ１０の光軸方向の位置を調整することにより、撮影レンズ１００の、撮像素子１３０に対する光軸方向の位置を調整する。そして最後のステップＳ３でそのステップＳ２により位置が調整された状態のレンズホルダ１０を素子ホルダ１１に固定する。
【００３４】
こうして図３のフローにしたがって撮影モジュール１を組み立てると、余計なフォーカス調整機構が廃止されてより一層の小型化が図られた撮影モジュールを簡単に組み立てることができる。
【００３５】
図４、図５は第２実施形態を説明する図である。
【００３６】
図４、図５の撮影モジュール１Ａは、コイルバネ１２が板バネ１２Ａに変更されている以外は、図１、図２（ｂ）の構成と同様である。
【００３７】
図４に示す板バネ１２Ａをレンズホルダ１０と素子ホルダ１１とに挟まれた位置に配置して、図２（ｂ）に示すコイルバネ１２を図５に示す板バネ１２Ａに置き換えても同様の効果が得られる。
【００３８】
以上説明した様に、より一層の小型化を図ることができる撮影モジュール、およびその撮影モジュールの組立方法が実現する。
【符号の説明】
【００３９】
１  撮影モジュール
１０    レンズホルダ
１００    撮影レンズ
１０１  １０２  １０３  １０４    レンズ
１０Ａ    対物側開口
１００Ａ    結像側開口
１１    素子ホルダ
１１１    保持開口
１３０    撮像素子
【図１】
2010239526.tif 000003
【図２】
2010239526.tif 000004
【図３】
2010239526.tif 000005
【図４】
2010239526.tif 000006
【図５】
2010239526.tif 000007